(57)【特許請求の範囲】
【請求項１】
目的物検出部(3)を複数軸方向へ移動させるためのジンバル機構部(2)を有し筒状の多角形をなすと共に側部の一部が開放された状態のハウジング部(1)と、前記ジンバル機構部(2)に設けられ有限角モータからなるピッチ軸用駆動モータ(4)及びヨー軸用駆動モータ(5)と、前記ハウジング部(1)に直接設けられ長円筒状の輪状光ファイバ(10a)を有するヨー軸検出用光ファイバジャイロ(10)及び長円筒状の輪状光ファイバ(11a)を有するピッチ軸検出用光ファイバジャイロ(11)と、前記ハウジング部(1)の後部に直接設けられ輪状に形成されたフランジ部(12)の溝(12a)に装着され輪状光ファイバ(13a)を有するロール軸検出用光ファイバジャイロ(13)とを備え、前記各光ファイバジャイロ(10、11、13)を構成する複数の部品は互いに異なる位置に配設されており、前記ロール軸検出用光ファイバジャイロ(13)に接続する光学部品(26)は前記ハウジング部(1)の前記フランジ部(12)とは異なる位置に離間して配設され、前記光学部品(26)に隣接してロール軸検出用光ファイバジャイロ用電子回路(27)が設けられていることを特徴とする空間安定装置。
【発明の詳細な説明】
【０００１】
【発明の属する技術分野】
本発明は、空間安定装置に関し、特に、空間安定させる目的物検出部及びその３軸駆動系を保持する筒状のハウジング部の内・外側又はジンバル機構部に３軸用の光ファイバジャイロを各々複数の部品に分割して取付け、装置全体の大きさを小型化するための新規な改良に関する。
【０００２】
【従来の技術】
従来、用いられていたこの種の空間安定装置としては、一般に、用いられる３軸用の光ファイバジャイロは、各々輪状光ファイバ、光学部品、電子回路部が１個のパッケージに収納された状態で、空間安定装置に取付けられていた。
【０００３】
【発明が解決しようとする課題】
従来の空間安定装置は、以上のように構成されていたため、次のような課題が存在していた。
すなわち、各光ファイバジャイロは、輪状光ファイバ、光学部品及び電子回路部が１個のパッケージの中に収納されていたため、３軸の各光ファイバジャイロのサイズが大型となり、空間安定装置自体の形状を小型化することが困難であった。
そのため、近年益々小型化される各種飛翔体等の内部に内蔵することが難しく、より小型化された構成の出現が切望されていた。
【０００４】
本発明は、以上のような課題を解決するためになされたもので、特に、空間安定させる目的物検出部及びその３軸駆動系を保持する筒状のハウジング部の内・外側又はジンバル機構部に３軸用の光ファイバジャイロを各々複数の部品に分割して取付け、装置全体の大きさを小型化するようにした空間安定装置を提供することを目的とする。
【０００５】
【課題を解決するための手段】
本発明による空間安定装置は、目的物検出部を複数軸方向へ移動させるためのジンバル機構部を有し筒状の多角形をなすと共に側部の一部が開放された状態のハウジング部と、前記ジンバル機構部に設けられ有限角モータからなるピッチ軸用駆動モータ及びヨー軸用駆動モータと、前記ハウジング部に直接設けられ長円筒状の輪状光ファイバを有するヨー軸検出用光ファイバジャイロ及び長円筒状の輪状光ファイバを有するピッチ軸検出用光ファイバジャイロと、前記ハウジング部の後部に直接設けられ輪状に形成されたフランジ部の溝に装着され輪状光ファイバを有するロール軸検出用光ファイバジャイロとを備え、前記各光ファイバジャイロを構成する複数の部品は互いに異なる位置に配設されており、前記ロール軸検出用光ファイバジャイロに接続する光学部品は前記ハウジング部の前記フランジ部とは異なる位置に離間して配設され、前記光学部品に隣接してロール軸検出用光ファイバジャイロ用電子回路が設けられている構成である。
【０００６】
【発明の実施の形態】
以下、図面と共に本発明による空間安定装置の好適な実施の形態について説明する。
図１において符号１で示されるものは、全体形状が筒状の多角形をなすハウジング部であり、このハウジング部１の内側には周知のジンバル機構部２により保持された例えば赤外線カメラ又はセンサ等からなり、目的とする物体を検出するための目的物検出部３が設けられている。
尚、ハウジング部１の側部の一部は開放され、ここから部品が外方へ突出している。
【０００７】
前記目的物検出部３は、前記ジンバル機構部２に設けられたピッチ軸用駆動モータ４、ヨー軸用駆動モータ５及び図示しない周知のロール補正機構（ジンバル機構部２とは別に設けられモータ等からなる）によって軸方向の姿勢変化を制御し、常に空間の一定方向を向くことができるように構成されている。
なお、前記ジンバル機構部２は周知の機構であると共に、前述の各駆動モータ４、５は、何れも有限角モータが採用されている。
【０００８】
前記ハウジング部１の外周面には、互いに異なる面角度位置において、長円筒状の輪状光ファイバ１０ａを有するヨー軸検出用光ファイバジャイロ１０、ファイバ保護カバー１１ｂで保護された長円筒状の輪状光ファイバ１１ａ及びピッチ軸検出用光ファイバジャイロ用光学部品１１ｃを有するピッチ軸検出用光ファイバジャイロ１１が各々直接設けられ、このハウジング部１の後部に形成されたフランジ部１２には、ロール軸検出用光ファイバジャイロ用ファイバボビン１３ｂを介して設けられた輪状光ファイバ１３ａを有するロール軸検出用光ファイバジャイロ１３が直接設けられている。
前記輪状光ファイバ１３ａは、前記フランジ部１２に形成された溝１２ａに巻き付けられ、ファイバ保護リング１２ｂを被せて接着固定されている。
【０００９】
前記ヨー軸検出用光ファイバジャイロ１０の光学部品２４は、輪状光ファイバ１０ａの内側に設けられ、ヨー軸検出用光ファイバジャイロ用電子回路２５は、前記ハウジング部１の前記ヨー軸検出用光ファイバジャイロ１０が取付けられた面とは異なる面の位置に離間して設けられている。
前記ピッチ軸検出用光ファイバジャイロ１１のピッチ軸検出用光ファイバジャイロ用電子回路１１ａ（図２に示す）は、前記ハウジング部１の異なる位置に離間して設けられている。
また、前記ロール軸検出用光ファイバジャイロ１３のロール軸検出用光ファイバジャイロ用光学部品２６は、前記ハウジング部１の前記フランジ部１２とは異なる位置に離間して設けられており、このロール軸検出用光ファイバジャイロ用光学部品２６には蓋２２が取付けられている。この光学部品２６に隣接してロール軸検出用光ファイバジャイロ用電子回路２７が設けられている。
【００１０】
従って、前述の構成において、本発明による空間安定装置１００を、船舶又は飛行機あるいはミサイルやロケット等に取付け、これらの姿勢が変化した場合においても、この目的物検出部３によって捕捉された目的物（ターゲット）は、画像として取り込まれ、姿勢変化に応じて各光ファイバジャイロ１０、１１、１３で検出された位置信号により前記各駆動モータ４、５等が駆動され、目的物検出部３の空間姿勢が一定となるように制御される。
【００１１】
【発明の効果】
本発明による空間安定装置は、以上のように構成されているため、次のような効果を得ることができる。
すなわち、３軸の光ファイバジャイロをハウジング部の内側又は外側あるいはジンバル機構部のインナジンバル及びアウタジンバルに取付け、さらに、これらの各光ファイバジャイロの複数の部品である光学部品及び電子回路等は、各光ファイバジャイロの光ファイバが位置する本体部分とは別体として分散配置されているため、従来の構成よりも小型化された空間安定装置を得ることができる。
【図面の簡単な説明】
【図１】  本発明による空間安定装置を示す分解斜視図である。
【図２】  図１の右側の斜視図である。
【図３】  図１の要部の分解斜視図である。
【符号の説明】
１    ハウジング部
２    ジンバル機構部
３    目的物検出部
１０    ヨー軸検出用光ファイバジャイロ
１１    ピッチ軸検出用光ファイバジャイロ
１２    フランジ部
１３    ロール軸検出用光ファイバジャイロ
２６    光学部品
【図１】
0003696488.tif 000002
【図２】
0003696488.tif 000003
【図３】
0003696488.tif 000004